(57)【要約】【課題】自動車の運転性を後退させることなく、低温時のプラグのくすぶり性に優れ、ＣＯ、ＴＨＣ等の排出ガスが少ない無鉛ガソリンを提供する。【解決手段】（Ａ）ＥＴＢＥを１〜２５容量％、（Ｂ）特定性状の脱ベンゼン接触改質ガソリンを２〜２０容量％、又は特定性状の脱ベンゼン軽質接触改質ガソリンを２〜１０容量％、特定性状の脱ベンゼン重質接触改質ガソリンを２〜１５容量％、（Ｃ）特定性状の軽質接触分解ガソリンを３０〜７０容量％、および（Ｄ）特定性状の脱硫軽質ナフサを５〜３０容量％含み、ＲＯＮが８９〜９５、ＭＯＮが７９〜８４、芳香族分含有量が４０容量％以下、オレフィン分含有量が３０容量％以下、ベンゼン含有量が１容量％以下、硫黄分含有量が１０質量ｐｐｍ以下、Ｔ５０が７５〜１１０℃、Ｅ７０が２０〜４０容量％、ＲＶＰが４４〜９３ｋＰａ、かつ６０℃におけるＶ／Ｌが３０〜７０である無鉛ガソリン。【選択図】          なし【特許請求の範囲】
【請求項１】
（Ａ）エチルターシャリーブチルエーテルを１〜２５容量％、
（Ｂ）（ｂ−１）リサーチ法オクタン価が９３以上、モーター法オクタン価が８３以上、リード蒸気圧が３０ｋＰａ以上、および沸点範囲が２８〜２００℃の脱ベンゼン接触改質ガソリンを２〜２０容量％、又は
（ｂ−２）リサーチ法オクタン価が７８以上、モーター法オクタン価が７０以上、リード蒸気圧が８５ｋＰａ以上、沸点範囲が２６〜８０℃の脱ベンゼン軽質接触改質ガソリンを２〜１０容量％、リサーチ法オクタン価が１０１以上、モーター法オクタン価が８９以上、リード蒸気圧が３ｋＰａ以上、沸点範囲が９０〜２００℃の脱ベンゼン重質接触改質ガソリンを２〜１５容量％、
（Ｃ）リサーチ法オクタン価が８８以上、モーター法オクタン価が７７以上、リード蒸気圧が４０ｋＰａ以上、沸点範囲が３０〜２１０℃の接触分解ガソリンを３０〜７０容量％、および
（Ｄ）リサーチ法オクタン価が６５以上、モーター法オクタン価が６２以上、リード蒸気圧が７５ｋＰａ以上、沸点範囲が２５〜１００℃の脱硫軽質ナフサを５〜３０容量％含み、リサーチ法オクタン価が８９〜９５、モーター法オクタン価が７９〜８４、芳香族分含有量が４０容量％以下、オレフィン分含有量が３０容量％以下、ベンゼン含有量が１容量％以下、硫黄分含有量が１０質量ｐｐｍ以下、５０％留出温度が７５〜１１０℃、７０℃留出量が２０〜４０容量％、リード蒸気圧が４４〜９３ｋＰａ、かつ６０℃における気液比（Ｖ／Ｌ）が３０〜７０である無鉛ガソリン。
【請求項２】
さらに、（Ｅ）リサーチ法オクタン価が９３以上、モーター法オクタン価が９０以上、リード蒸気圧が４０ｋＰａ以上、沸点範囲が３０〜２１０℃、Ｃ８留分が６５容量％以上のアルキレートを３〜２０容量％含むことを特徴とする請求項１に記載の無鉛ガソリン。
【発明の詳細な説明】
【技術分野】
【０００１】
本発明は、無鉛ガソリンに関し、詳しくは特定された蒸留性状および特定された成分組成を有する低温時のプラグのくすぶり性、運転性、排出ガス特性に優れた無鉛ガソリンに関する。
【背景技術】
【０００２】
近年、ガソリンエンジン用燃料油としては、高オクタン価で運転性能に優れるとともに、環境性能にも優れるものが要望されるようになってきた。
従来、特許文献１に記載される軽質で高オクタン価の含酸素基材であるメチルターシャリーブチルエーテル（ＭＴＢＥ）を配合することにより、一酸化炭素（ＣＯ）、全炭化水素（ＴＨＣ）が低減でき、低温運転性にも優れたガソリンの生産・販売が最近まで行われていた。
しかし、ＭＴＢＥの環境面への影響が懸念され、現在はＭＴＢＥを配合したガソリンの生産・販売が自粛され、そのオクタン価低下を補うために、重質で芳香族分含有量の多い高オクタン価基材を配合したガソリンが生産されるようになってきた。
【０００３】
この場合、特定の蒸留性状および成分組成を有するガソリンが知られているように（例えば特許文献２参照）、重質で芳香族分含有量が多い高オクタン価基材を配合するため、高沸点留分のオクタン価は向上するが、低沸点留分のオクタン価の低下、ガソリンの重質化、プラグの対くすぶり性の低下、および運転性への影響等が懸念される。
このようなプラグの対くすぶり性や運転性の向上を図るには、低沸点留分のオクタン価を高めることが重要であり、その要求を満たすものとしては低沸点・高オクタン価でプラグの対くすぶり性にも有効な性質を有する含酸素化合物が挙げられる。この含酸素化合物としては、例えば、上述のメチルターシャリーブチルエーテル（ＭＴＢＥ）以外に、エチルターシャリーブチルエーテル（ＥＴＢＥ）やターシャリーアミルメチルエーテル（ＴＡＭＥ）（ＳＡＥ  ９１２３１３）が知られている。
また、アルコールやエーテル類等の含酸素化合物を混合したガソリン（ＳＡＥ９０２１３２）も知られているが、これらのガソリンは始動性、運転性などの点において、未だ満足できない場合もあり、一層の改良が望まれている。
【特許文献１】特公平５−５３１９７号公報
【特許文献２】特開平７−２０７２８６号公報
【発明の開示】
【発明が解決しようとする課題】
【０００４】
本発明は、自動車の運転性を後退させることなく、低温時のプラグのくすぶり性に優れ、かつＣＯ、ＴＨＣ等の排出ガスが少ないガソリンエンジン用無鉛ガソリンを提供することを目的とするものである。
【課題を解決するための手段】
【０００５】
本発明者らは、上記目的を達成するために鋭意研究を重ねた結果、軽質な高オクタン価基材であるエチルターシャリーブチルエーテル（ＥＴＢＥ）を選定し、エチルターシャリーブチルエーテル（ＥＴＢＥ）の特定量と他の特定の基材を用いることにより、燃料油中の芳香族分含有量を抑えつつ、プラグのくすぶり性を改善し、さらに細かく蒸留性状、組成を規定することにより、優れた性能を有するガソリンが得られることを見出し、本発明を完成するに至った。
即ち、本発明は、下記構成の無鉛ガソリンであり、これにより上記本発明の目的が達成される。
１．（Ａ）エチルターシャリーブチルエーテルを１〜２５容量％、
（Ｂ）（ｂ−１）リサーチ法オクタン価が９３以上、モーター法オクタン価が８３以上、リード蒸気圧が３０ｋＰａ以上、および沸点範囲が２８〜２００℃の脱ベンゼン接触改質ガソリンを２〜２０容量％、又は
（ｂ−２）リサーチ法オクタン価が７８以上、モーター法オクタン価が７０以上、リード蒸気圧が８５ｋＰａ以上、沸点範囲が２６〜８０℃の脱ベンゼン軽質接触改質ガソリンを２〜１０容量％、リサーチ法オクタン価が１０１以上、モーター法オクタン価が８９以上、リード蒸気圧が３ｋＰａ以上、沸点範囲が９０〜２００℃の脱ベンゼン重質接触改質ガソリンを２〜１５容量％、
（Ｃ）リサーチ法オクタン価が８８以上、モーター法オクタン価が７７以上、リード蒸気圧が４０ｋＰａ以上、沸点範囲が３０〜２１０℃の接触分解ガソリンを３０〜７０容量％、および
（Ｄ）リサーチ法オクタン価が６５以上、モーター法オクタン価が６２以上、リード蒸気圧が７５ｋＰａ以上、沸点範囲が２５〜１００℃の脱硫軽質ナフサを５〜３０容量％
含み、リサーチ法オクタン価が８９〜９５、モーター法オクタン価が７９〜８４、芳香族分含有量が４０容量％以下、オレフィン分含有量が３０容量％以下、ベンゼン含有量が１容量％以下、硫黄分含有量が１０質量ｐｐｍ以下、５０％留出温度が７５〜１１０℃、７０℃留出量が２０〜４０容量％、リード蒸気圧が４４〜９３ｋＰａ、かつ６０℃における気液比（Ｖ／Ｌ）が３０〜７０である無鉛ガソリン。
２．さらに、（Ｅ）リサーチ法オクタン価が９３以上、モーター法オクタン価が９０以上、リード蒸気圧が４０ｋＰａ以上、沸点範囲が３０〜２１０℃、Ｃ８留分が６５容量％以上のアルキレートを３〜２０容量％含むことを特徴とする上記１に記載の無鉛ガソリン。
【発明の効果】
【０００６】
本発明の無鉛ガソリンは、自動車のガソリンエンジン用に用いられ、低温時のプラグのくすぶり性を改善し、ＣＯ、ＴＨＣ等の排出ガス中の有害成分の含有量を低減し得るとともに、優れた低温始動性、運転性および高温再始動性を有する。
【発明を実施するための最良の形態】
【０００７】
以下、本発明の内容を更に詳しく説明する。
本発明の無鉛ガソリンＩは、成分（Ａ）、（Ｂ）、（Ｃ）および（Ｄ）を必須成分として含む。無鉛ガソリンIIは、上記成分（Ａ）〜（Ｄ）に加えて成分（Ｅ）を必須成分として含む。
本発明の無鉛ガソリンＩに用いられる成分（Ａ）のエチルターシャリーブチルエーテル（ＥＴＢＥ）は、エタノールとイソブチレンの反応生成物として得られるもので、純度９５．０％以上のものが好ましい。
【０００８】
成分（Ｂ）の成分（ｂ−１）脱ベンゼン接触改質ガソリンは、重質の直留ナフサなどを接触改質法（プラットフォーミング法、マグナフォーミング法、アロマイジング法、レニフォーミング法、フードリフォーミング法、ウルトラフォーミング法、パワーフォーミング法等）により、水素気流中で高温・加圧下で触媒（例えば、アルミナ担体に白金やロジウムと塩素とを担持したもの等）と接触処理して得られた改質ガソリンからベンゼン留分を蒸留により取り除いたものである。本発明では、ＲＯＮが９３以上、好ましくは９３〜９９、ＭＯＮが８３以上、好ましくは８３〜８９、ＲＶＰが３０ｋＰａ以上、好ましくは３５〜５５ｋＰａ、沸点範囲が２８〜２００℃の性状を有する。
【０００９】
また、成分（Ｂ）の成分（ｂ−２）は、脱ベンゼン軽質接触改質ガソリンと脱ベンゼン重質接触改質ガソリンとからなる。
脱ベンゼン軽質接触改質ガソリンは、重質の直留ナフサなどを接触改質法（プラットフォーミング法、マグナフォーミング法、アロマイジング法、レニフォーミング法、フードリフォーミング法、ウルトラフォーミング法、パワーフォーミング法等）により、水素気流中で高温・加圧下で触媒（例えば、アルミナ担体に白金やロジウムと塩素とを担持したもの等）と接触処理して得られた改質ガソリンを蒸留により、軽質留分、ベンゼン留分、重質留分に分けた内の軽質留分である。該軽質留分は、ＲＯＮが７８以上、好ましくは７８〜９０、ＭＯＮが７０以上、好ましくは７０〜８３、ＲＶＰが８５ｋＰａ以上、好ましくは８５〜１０５ｋＰａ、沸点範囲が２６〜８０℃の性状を有する。
脱ベンゼン重質接触改質ガソリンは、改質ガソリンを蒸留により、軽質留分、ベンゼン留分、重質留分に分けた内の重質留分である。該重質留分は、ＲＯＮが１０１以上、好ましくは１０１〜１１０、ＭＯＮが８９以上、好ましくは８９〜９８、ＲＶＰが３ｋＰａ以上、好ましくは３〜１５ｋＰａ、沸点範囲９０〜２００℃の性状を有する。
【００１０】
成分（Ｃ）の接触分解ガソリンは、灯・軽油から常圧残油に至る石油留分、好ましくは重質軽油や減圧軽油を、従来から知られている接触分解法、特に流動接触分解法（UOP法、シェル二段式法、フレキシクラッキング法、ウルトラオルソフロー法、テキサコ法、ガルフ法、ウルトラキャットクラッキング法、RCC法、HOC法等）により、固体酸触媒（例えば、シリカ・アルミナにゼオライトを配合したもの等）で分解して得られた接触分解ガソリンを脱硫処理して得られたものである。本発明で用いる接触分解ガソリンは、ＲＯＮが８８以上、好ましくは８８〜９２、ＭＯＮが７７以上、好ましくは７７〜８１、ＲＶＰが４０ｋＰａ以上、好ましくは４５〜６５ｋＰａ、沸点範囲が３０〜２１０℃の性状を有するものである。
【００１１】
さらに、成分（Ｄ）の脱硫軽質ナフサは、原油を常圧蒸留した直留ナフサを脱硫処理して得られた脱硫直留ナフサを蒸留により、軽質留分と重質留分に分けた内の軽質留分であり、本発明で用いられる軽質ナフサは、ＲＯＮが６５以上、好ましくは６５〜７０、ＭＯＮが６２以上、好ましくは６２〜６７、ＲＶＰが７５ｋＰａ以上、好ましくは７５〜１０５ｋＰａ以上、沸点範囲が２５〜１００℃の性状を有するものである。
【００１２】
また、無鉛ガソリンIIに用いられる成分（Ｅ）のアルキレートは、イソブタンと低級オレフィン（ブテン、プロピレン等）を原料として、酸触媒（硫酸、フッ化水素、塩化アルミニウム等）の存在下で反応させて得られるものである。
本発明では、Ｃ８留分が６５容量％以上、好ましくは７０容量％以上の各種のアルキレートが用いられる。用いられるアルキレートは、イソオクタン（２，２，４−トリメチルペンタン）を２８容量％以上、好ましくは３０容量％以上含む。また、該アルキレートは、ＲＯＮが９３以上、好ましくは９４〜９６、ＭＯＮが９０以上、好ましくは９１〜９４、ＲＶＰが４０ｋＰａ以上、沸点範囲が３０〜２１０℃の性状を有する。このようなアルキレート、即ち成分（Ｅ）を含有する無鉛ガソリンIIは、ＲＯＮとＭＯＮの差が縮まりセンシティビティー（ＲＯＮ−ＭＯＮ）が改善されている。
【００１３】
本発明の無鉛ガソリンＩは成分（Ａ）、（Ｂ）、（Ｃ）および（Ｄ）を、無鉛ガソリンIIは成分（Ａ）、（Ｂ）、（Ｃ）、（Ｄ）および（Ｅ）を必須成分とし、その配合量は前述した燃料油の要求性状を満たすように、各成分の性状等により適宜選択すれば良い。
【００１４】
無鉛ガソリンＩは、通常、成分（Ａ）であるＥＴＢＥを１〜２５容量％、好ましくは３〜２０容量％、成分（Ｂ）の成分（ｂ−１）である脱ベンゼン接触改質ガソリンを２〜２０容量％、好ましくは２〜１５容量％、又は成分（Ｂ）の成分（ｂ−２）を構成する脱ベンゼン軽質接触改質ガソリンを２〜１０容量％、好ましくは２〜８容量％、脱ベンゼン重質接触改質ガソリンを２〜１５容量％、好ましくは２〜１０容量％、（Ｃ）成分の接触分解ガソリンを３０〜７０容量％、好ましくは３０〜６０容量％、そして、（Ｄ）成分の脱硫軽質ナフサを５〜３０容量％、好ましくは５〜２５容量％の範囲で適宜配合すれば良い。
燃料油IIは、上記無鉛ガソリンＩの成分（Ａ）、（Ｂ）、（Ｃ）、（Ｄ）に加えて成分（Ｅ）であるアルキレートを３〜２０容量％、好ましくは５〜１５容量％の範囲で適宜配合すれば良い。
（Ａ）成分のＥＴＢＥが２５容量％を超えるものでは、発熱量の低下による燃費への影響が懸念される。
【００１５】
上記成分を含有してなる無鉛ガソリンＩおよびIIは、ＲＯＮが８９〜９５、好ましくは９０〜９３、ＭＯＮが７９〜８４、好ましくは８０〜８４、芳香族分含有量が４０容量％以下、好ましくは３５容量％以下、オレフィン分含有量が３０容量％以下、好ましくは２５容量％以下、Ｔ５０（５０％留出温度）が７５〜１１０℃、好ましくは７５〜１０５℃、Ｅ７０（７０℃留出量）が２０〜４０容量％、好ましくは２０〜３８容量％、ＲＶＰが４４〜９３ｋＰａ、かつ６０℃における気液比（Ｖ／Ｌ）が３０〜７０、好ましくは３５〜６０、ベンゼン含有量が１容量％以下、そして硫黄分含有量が１０質量ｐｐｍ以下の性状を有する。
【００１６】
無鉛ガソリンＩおよびIIの芳香族分が上記範囲以上になると、プラグのくすぶりが発生する可能性、あるいは排気ガス中の有害成分が増加する場合があり、オレフィン分が上記範囲を超えると、酸化安定性が劣る場合、排出ガス中のＮＯｘが増加する場合があるため好ましくない。
また、Ｔ５０、Ｅ７０、ＲＶＰ、あるいは６０℃におけるＶ／Ｌが上記範囲外では、始動性、加速性、運転性に不具合を生じる場合があり好ましくない。
【００１７】
また、ベンゼン含有量が１容量％を超えると排出ガス中のベンゼン濃度が高くなる場合があり、硫黄分が１０質量ｐｐｍを超えると排出ガス浄化性能に影響する可能性があるため好ましくない。
【００１８】
なお、上記ＲＯＮは、ＪＩＳ  Ｋ  ２２８０に準拠して、芳香族分、オレフィン分およびベンゼンは石油学会法ＪＰＩ−５Ｓ−３３−９０（ガスクロマトグラフィー法）に準拠して、Ｔ５０、Ｅ７０等の蒸留性状はＪＩＳ  Ｋ  ２２５４に準拠して、ＲＶＰはＪＩＳ  Ｋ  ２２５８に準拠して、６０℃におけるＶ／ＬはＡＳＴＭ  Ｄ  ２５３３−９３ａに準拠して、そして硫黄分はＪＩＳ  Ｋ  ２５４１に準拠して、各々測定した値である。
【００１９】
本発明の無鉛ガソリンＩ、IIには、さらに必要に応じて、各種の添加剤を適宜配合することが出来る。このような添加剤としては、フェノール系、アミン系等の酸化防止剤、チオアミド化合物等の金属不活性剤、有機リン系化合物等の表面着火防止剤、コハク酸イミド、ポリアルキルアミン、ポリエーテルアミン、ポリイソブチレンアミン等の清浄分散剤、多価アルコールおよびそのエーテル等の氷結防止剤、有機酸のアルカリ金属やアルカリ土類金属塩、高級アルコールの硫酸エステル等の助燃剤、アニオン系界面活性剤、カチオン系界面活性剤、両性界面活性剤等の帯電防止剤、アルケニル琥珀酸エステル等の錆止め剤、およびアゾ染料等の着色剤等、公知の燃料添加剤が挙げられる。これらを１種または数種組み合わせて添加することが出来る。これら燃料添加剤の添加量は任意であるが、通常、その合計添加量が０．１質量％以下とすることが好ましい。
またさらに、本発明の無鉛ガソリンに、必要に応じて、原油や粗油等の常圧蒸留時、改質ガソリン製造時、あるいは分解ガソリン製造時等に蒸留して得られるブタン、ブテン類を主成分としたＣ４留分、直鎖の低級パラフィン系炭化水素の異性化によって得られるアイソメレート、軽質ナフサ好ましくは脱硫軽質ナフサ、改質ガソリン等から得られるもの、あるいはアイソメレートを精密蒸留して得られるイソペンタン、芳香族製造設備から得られるトルエン、キシレン、あるいは炭素数９以上の芳香族等を配合することも可能である。
【実施例】
【００２０】
以下に本発明の内容を実施例および比較例により具体的に説明するが、本発明はこれらによって制限されるものではない。
【００２１】
（実施例１、２および４）
接触分解装置、接触改質装置又は常圧蒸留装置から生成するＣ４留分（ブタン、ブテン類）、下記性状の脱ベンゼン接触改質ガソリン、接触分解ガソリン、脱硫軽質ナフサ、アルキレート、およびＥＴＢＥを表１に示す配合比で配合することにより、表１に記載する性状のガソリンを得た。
・脱ベンゼン接触改質ガソリン
芳香族分が４９．７容量％、オレフィン分が０．７容量％、Ｔ５０が１０４．５℃、Ｅ７０が２３．０容量％、ＲＶＰが５２．０ｋＰａ、ＲＯＮが９５．７、ＭＯＮが８５．９
・接触分解ガソリン
芳香族分が１．２容量％、オレフィン分が４４．３容量％、Ｔ５０が９９．０℃、Ｅ７０が２７．０容量％、ＲＶＰが５１．０ｋＰａ、ＲＯＮが９１．１、ＭＯＮが７９．８
・脱硫軽質ナフサ
芳香族分が１．９容量％、オレフィン分が０．０容量％、Ｔ５０が５１．５℃、Ｅ７０が９２．５容量％、ＲＶＰが８９．５ｋＰａ、ＲＯＮが６９．８
・アルキレート
芳香族分が０．２容量％、オレフィン分が０．０容量％、Ｔ５０が１０６．０℃、Ｅ７０が８．５容量％、ＲＶＰが４８．０ｋＰａ、ＲＯＮが９４．６、ＭＯＮが９１．９
【００２２】
（実施例３）
実施例１、２および４に記載のＣ４留分（ブタン、ブテン類）、接触分解ガソリン、アルキレート、脱硫軽質ナフサ、ＥＴＢＥ、下記性状の脱ベンゼン軽質接触改質ガソリンおよび脱ベンゼン重質接触改質ガソリンを表１に示す配合比で配合することにより、表１に記載する性状のガソリンを得た。
・脱ベンゼン軽質接触改質ガソリン
芳香族分が１．１容量％、オレフィン分が１．７容量％、Ｔ５０が４５．０℃、Ｅ７０が１００容量％、ＲＶＰが１０２．５ｋＰａ、ＲＯＮが８６．３、ＭＯＮが７９．２
・脱ベンゼン重質接触改質ガソリン
芳香族分が８８．２容量％、オレフィン分が０．４容量％、Ｔ５０が１２３．０℃、Ｅ７０が０．０容量％、ＲＶＰが７．０ｋＰａ、ＲＯＮが１０３．９、ＭＯＮが９１．５
【００２３】
（実施例５）
実施例１、２および４に記載のＣ４留分（ブタン、ブテン類）、脱ベンゼン接触改質ガソリン、接触分解ガソリン、脱硫軽質ナフサ、およびＥＴＢＥを表１に示す配合比で配合することにより、表１に記載する性状のガソリンを得た。
【００２４】
（比較例１）
実施例１、２および４に記載のＣ４留分（ブタン、ブテン類）、脱ベンゼン接触改質ガソリン、接触分解ガソリン、脱硫軽質ナフサおよびアルキレートを表１記載の配合により、表１に記載する性状のガソリンを得た。
【００２５】
（比較例２）
実施例１、２および４に記載の脱ベンゼン接触改質ガソリン、接触分解ガソリン、および脱硫軽質ナフサを表１記載の配合により、表１に記載する性状のガソリンを得た。
【００２６】
（比較例３）
実施例１、２および４に記載の脱ベンゼン接触改質ガソリン、接触分解ガソリン、脱硫軽質ナフサ、アルキレート、および実施例３に記載の脱ベンゼン重質接触改質ガソリンを表１に示す配合比で配合することにより、表１に記載する性状のガソリンを得た。
【００２７】
上記、実施例１〜５と比較例１〜３のガソリンを用いて、以下に述べる各種の性能評価試験を行った。その方法を以下に記し、結果を表１に示す。
【００２８】
（プラグのくすぶり性試験）
総排気量２Ｌ、ＭＰＩ方式、オートマチックトランスミッション（ＡＴ）の車両を用い、−１０℃の試験温度条件で、１サイクル約３０分（エンジン始動⇒１０−２０ｋｍ／ｈの加減速を１０回繰り返し⇒２８分間冷却）の繰返し試験を行い、そのプラグの絶縁抵抗を測定することによりプラグの汚損度を測定した。なお、プラグのくすぶりは、プラグの絶縁抵抗値が１００ＭΩ以下で発生したと判定した。
【００２９】
（低温始動性試験）
国産乗用車（総排気量１．８Ｌ、ＭＰＩ方式、オートマチックトランスミッション（ＡＴ））を用いて、環境温度（室温、油温）−１０℃にてエンジンを始動し、完爆時間（クランキング後、エンジンが自力で回転を続けられるようになるまでの時間）を測定した。
【００３０】
（加速性試験および高温再始動性試験）
国産乗用車（総排気量1.8L、MPI方式、オートマチックトランスミッション（AT））を用いて、CRC Report No.490に準拠して行った。
ここで、加速性試験は、４０ｋｍ／ｈから１２０ｋｍ／ｈになるまでの時間（加速時間）を測定し、下記数式（１）を用いて加速時間増加率を求めた。
加速時間増加率（％）＝[（キーオフソーク後加速時間(sec)−基準加速時間(sec)）／基準加速時間(sec)]×100・・・・・数式（１）
また、高温再始動性試験は、キーオフソーク後の始動時間を測定した。
【００３１】
（排出ガス試験）
国産乗用車（総排気量２．５Ｌ、ＭＰＩ方式、オートマチックトランスミッション（ＡＴ）、三元触媒装着）を用いて、１０・１５モードでの排出ガス試験を行い、一酸化炭素（ＣＯ）、全炭化水素（ＴＨＣ）、窒素酸化物（ＮＯｘ）を測定した。
【００３２】
【表１】
2005133007.tif 000002
【００３３】
表１に示される結果より、本発明の無鉛ガソリン（実施例１〜４）は、低温時のプラグのくすぶり性が改善され、ＣＯ、ＴＨＣ、ＮＯｘの排出ガス中の有害成分の含有量が低減され、しかも優れた低温始動性、加速性及び高温再始動性を有することが分かる。